(57)【要約】      （修正有）【課題】取り付けが簡単且つ取り外しが手軽で速い上、パイプジョイントに必要な引張応力、耐圧性、耐震性、温度変化による膨張と収縮への耐性などを保ったままパイプジョイントのコストを大幅に下げることが可能である、ナット不要なＣ型スナップリングを備えた取り外し可能なパイプジョイントを提供する。【解決手段】被接続パイプ１と、Ｃ型スナップリングと、少なくとも一つの漏れ防止パッキンと、パイプジョイント４とからなる。被接続パイプの接合端部には、Ｃ型スナップリングを嵌めこむための凹入したロール溝が設けられ、Ｃ型スナップリングはパイプジョイントの徐々に縮む収斂圧迫接合壁内に配置され、少なくとも一つの漏れ防止パッキンは、パイプジョイントに設けられた対応するパッキン溝内に配置され、パイプジョイントの端縁には対称に配置された透孔溝４０が設けられる。【選択図】図１
0003165136.tif 000002
【実用新案登録請求の範囲】
【請求項１】
被接続パイプと、Ｃ型スナップリングと、少なくとも一つの漏れ防止パッキンと、パイプジョイントとからなる、ナット不要なＣ型スナップリングを備えた取り外し可能なパイプジョイントであって、
被接続パイプの接合端部には、Ｃ型スナップリングを嵌めこむための凹入したロール溝が設けられ、
Ｃ型スナップリングは裂け目をもつリングであり、その裂け目のゆとり部分を縮小拡張させることによって、Ｃ型スナップリングはパイプジョイントの徐々に縮む収斂圧迫接合壁内に配置され、
少なくとも一つの漏れ防止パッキンは、パイプジョイントに設けられた対応するパッキン溝内に配置され、
パイプジョイントの端口は縁止口径を有し、縁止口径は徐々に縮む収斂圧迫接合壁の内径より小さく、パイプジョイントの端縁には対称に配置された透孔溝が設けられ、パイプジョイント内には、Ｃ型スナップリングを配置するための徐々に縮む収斂圧迫接合壁が設けられ、収斂圧迫接合壁の下方には、少なくとも一つの漏れ防止パッキンに対応するパッキン溝が設けられることを特徴とする、ナット不要なＣ型スナップリングを備えた取り外し可能なパイプジョイント。
【請求項２】
パイプジョイントの端縁に対称に配置された透孔溝は、パイプジョイントの内部に取り付けられたＣ型スナップリングと対応することを特徴とする、請求項１に記載のナット不要なＣ型スナップリングを備えた取り外し可能なパイプジョイント。
【請求項３】
被接続パイプの端頭縁辺は、面取り状に加工されていることを特徴とする、請求項１に記載のナット不要なＣ型スナップリングを備えた取り外し可能なパイプジョイント。
【請求項４】
漏れ防止パッキンの内径は、被接続パイプの外径より小さいことを特徴とする、請求項１に記載のナット不要なＣ型スナップリングを備えた取り外し可能なパイプジョイント。
【請求項５】
漏れ防止パッキンは、その頂縁に内当接縁辺と外当接縁辺を備え、その中央部にはゆとり溝通路が設けられることを特徴とする、請求項１に記載のナット不要なＣ型スナップリングを備えた取り外し可能なパイプジョイント。
【考案の詳細な説明】
【技術分野】
【０００１】
本考案はナット不要なＣ型スナップリングを備えた取り外し可能なパイプジョイントに関し、特に、取り付けが簡単且つ取り外しが手軽で速い上、パイプジョイントに必要な引張応力、耐圧性、耐震性、温度変化による膨張と収縮への耐性などを保ったままパイプジョイントのコストを大幅に下げることが可能なパイプジョイントに関する。
【背景技術】
【０００２】
図７は、従来のパイプジョイント構造と機能を示している。この図では、接続パイプＡ１を三方向ジョイントＡ２に組み合わせた例を挙げて説明を行う。三方向ジョイントＡ２は、上端に雄ねじ部Ａ２１を備え、雌ねじキャップＡ３と螺合される。接続パイプＡ１を雄ねじ部Ａ２１内孔に差し込む時、両者の頂縁間に漏れ防止パッキンＡ４を設けることで、基本的な漏れ防止機能を達成することができる。また、漏れ防止パッキンＡ４の上方における接続パイプＡ１の外側には、金属ガスケットＡ５を嵌めこむ。金属ガスケットＡ５を利用し、雌ねじキャップＡ３を螺合すると圧力がかかり下方の漏れ防止パッキンＡ４を圧迫し、漏れ防止パッキンＡ４は変形して接続パイプＡ１を固定することができる。
【０００３】
前述した従来のパイプジョイントの構造を理解すれば、以下のことが分かる。金属ガスケットＡ５と漏れ防止パッキンＡ４は、ジョイントの組合せ全体の中で、圧迫接合、固定、漏れ防止の三重の役割を果たしている。しかしながら、パイプの引張試験を行った後、二本の接続パイプ間の引っ張り強度が明らかに弱いという結果がでた。その主な問題点は、固定と漏れ防止を全て漏れ防止パッキンＡ４だけに依存していることにある。そのため、漏れ防止パッキンＡ４を長く使用して変形したり或いは漏れ防止パッキンＡ４の圧迫接合度が不十分だったりするときに漏れ防止パッキンＡ４を取り付けると、もし歪んでねじれた状態になった場合、漏れ防止パッキンＡ４を損傷する可能性がある。特に、漏れ防止のために密合された箇所は、引っ張り力が増すと、被接続パイプＡ１全体が引っ張り出されるか、大幅に引っ張り出されて位置が移動する現象が生じることがある。この現象は、パイプの接続において最大の致命傷であり、それが原因で滲みでたり、パイプが割れたりすることがたびたび起こる。従って、従来のパイプジョイントは、基本的な需要目標を達成していない。
【考案の概要】
【考案が解決しようとする課題】
【０００４】
そこで、本考案は、取り付けが簡単且つ取り外しが手軽で速い上、パイプジョイントに必要な引張応力、耐圧性、耐震性、温度変化による膨張と収縮への耐性などを保ったままパイプジョイントのコストを大幅に下げることが可能である、ナット不要なＣ型スナップリングを備えた取り外し可能なパイプジョイントを提供することを目的とする。
【課題を解決するための手段】
【０００５】
本考案によるナット不要なＣ型スナップリングを備えた取り外し可能なパイプジョイントは、被接続パイプと、Ｃ型スナップリングと、少なくとも一つの漏れ防止パッキンと、パイプジョイントとからなる。被接続パイプの接合端部には、Ｃ型スナップリングを嵌めこむための凹入したロール溝が設けられ、Ｃ型スナップリングは裂け目をもつリングであり、その裂け目のゆとり部分を縮小拡張させることによって、Ｃ型スナップリングはパイプジョイントの徐々に縮む収斂圧迫接合壁内に配置され、少なくとも一つの漏れ防止パッキンは、パイプジョイントに設けられた対応するパッキン溝内に配置され、パイプジョイントの端口は縁止口径を有し、縁止口径は徐々に縮む収斂圧迫接合壁の内径より小さく、パイプジョイントの端縁には対称に配置された透孔溝が設けられ、パイプジョイント内には、Ｃ型スナップリングを配置するための徐々に縮む収斂圧迫接合壁が設けられ、収斂圧迫接合壁の下方には、少なくとも一つの漏れ防止パッキンに対応するパッキン溝が設けられる。
【考案の効果】
【０００６】
本考案は、Ｃ型スナップリングが被接続パイプに完全に嵌めこまれることにより、漏れ防止パッキンを補助し、外界の振動を受けたり引っ張られたりした際、ずれて損傷することを防ぐことがき、漏れ防止パッキンの圧迫接合力を保つことができる。また、引張応力、耐圧性、耐震性、温度変化による膨張と収縮への耐性の四つの機能を達成する。
【図面の簡単な説明】
【０００７】
【図１】本考案の最良の実施例の外観を示した斜視図である。
【図２】本考案の各部材を示した分解構造図である。
【図３】本考案の全体の組合せを示した構造断面図である。
【図４】本考案の被接続パイプ、Ｃ型スナップリング、漏れ防止パッキンの三者の機能を示した説明図である。
【図５】本考案の漏れ防止パッキンのもう一つの実施例を示した断面図である。
【図６】図５の枠部分の構造を示した拡大図である。
【図７】従来のパイプジョイントの全体の構造を示した断面図である。
【考案を実施するための形態】
【０００８】
図１と図２に示すように、本考案は、主に、被接続パイプ１と、Ｃ型スナップリング２と、少なくとも一つの漏れ防止パッキン３と、パイプジョイント４とによって構成する。その内、被接続パイプ１の接合端部には、Ｃ型スナップリング２を嵌めこむための凹入したロール溝１１が設けられる。また、被接続パイプ１の端頭縁辺は、面取り状１２に加工され、取り付けやすくなる以外に、端頭縁辺が鋭い刃の状態にならないため、内部に配置された少なくとも一つの漏れ防止パッキン３が損傷するのを防ぐことができる。また、ロール溝１１に取り付けられたＣ型スナップリング２は、裂け目２１をもつリングであり、裂け目２１のゆとりによって、リング２を伸縮させることができる。これにより、Ｃ型スナップリング２を被接続パイプ１と一緒にパイプジョイント４内に取り付ける時、Ｃ型スナップリング２は、まず縮められてパイプジョイント４に進入した後、開いた状態になり、パイプジョイント４と係合する。
【０００９】
図２に示すように、前述したパイプジョイント４の端縁には、対称に配置された透孔溝４０が設けられ、対称に配置された透孔溝４０は、二つを合わせて一つになる方式のパイプ取り外し器具５を合わせて挟みこむと、パイプ取り外し器具５内縁に設けられたパイプ取り外し凸部５１によって、パイプジョイント４内部に設けられているＣ型スナップリング２の直径が縮み、取り外すことができる。以上の構造により、本考案は、取り外して繰り返し使用することが可能になる。パイプジョイント４全体を取り付け取り外しできるように、Ｃ型スナップリングを縮めた際の直径は、パイプジョイント４の開口の直径より小さい。また、本考案は、取り外して繰り返し使用することが前提の下、前述したパイプ取り外し器具５は、その他の工具を採用して実施することも可能であり、その方式に制限を加えるものではない。対称に配置された透孔溝４０からＣ型スナップリング２の直径を縮ませることができる能力をもつものであれば、どんな工具でもよい。
【００１０】
続いて、図３と図４に示すように、パイプジョイント４の接続パイプ内縁には、Ｃ型スナップリング２を配置するための徐々に縮む収斂圧迫接合壁４１が設けられる。収斂圧迫接合壁４１は、徐々に縮む収斂構造が採用され、しかもジョイント端口は縁止口径４１−１を有し、縁止口径４１−１は収斂圧迫接合壁４１の内径より小さい。簡単に言うと、収斂圧迫接合壁４１は、Ｃ型スナップリング２と被接続パイプ１の両者の嵌めこみに伴い、引張応力によりＣ型スナップリング２を収斂圧迫接合壁４１内に進入させ、Ｃ型スナップリング２は縮んだ状態で、被接続パイプ１のロール溝１１内にきつく嵌め合わされ、その時、Ｃ型スナップリング２はジョイント端口の縁止口径４１−１の制限を受け、外へ外れにくくなる。以上により、リングを被接続パイプ１に嵌めこんでおく機能を達成することができる。
【００１１】
被接続パイプ１、Ｃ型スナップリング２、パイプジョイント４の三者を合わせることによって、被接続パイプ１は強固な位置決めされるとともに、その下方に配置された少なくとも一つの漏れ防止パッキン３も同様に固く位置決めされ、被接続パイプ１が伸ばされて位置がずれる現象により、各漏れ防止パッキン３が歪んで漏れたり損傷したりすることがない。また、各漏れ防止パッキン３を被接続パイプ１の外壁に嵌めこむと、各漏れ防止パッキン３はパイプジョイント４に設けられたパッキン溝４２内に配置され、気の密封と漏れ防止効果を達成することができる。
【００１２】
前述した少なくとも一つの漏れ防止パッキン３の最適なサイズに関して言うと、漏れ防止パッキン３の内径は被接続パイプ１の外径より小さい。取り付けられた後、各漏れ防止パッキン３は、小幅の圧縮ゆとりＢによって、被接続パイプ１に圧迫接合される。このように、Ｃ型スナップリング２、少なくとも一つの漏れ防止パッキン３、パイプジョイント４の三者間の組合せによる作用により、被接続パイプが少し振動したり、温度変化による膨張収縮を起こしたり、引張応力や瞬間的な圧力がかかったときなどの好ましくない外界環境の影響が生じた場合に、被接続パイプ１、Ｃ型スナップリング２、各漏れ防止パッキン３の三者は、漏れ防止の能力を保持することができ、強力な耐圧性、耐震性、耐熱冷性などの実用的な効果を発揮することができる。
【００１３】
また、図５と図６に示すように、本考案の主旨を変えずに、漏れ防止パッキン３を、ゆとり溝通路をもつ構造にすることができる。この漏れ防止パッキン３は、その断面頂縁に当接縁辺３１を有し、内当接縁辺３１は被接続パイプ１に当接し、外当接縁辺３１はパイプジョイントのパッキン溝４２に当接し、中央にはゆとり溝通路３２が設けられている。以上の構造により、漏れ防止パッキン３が大きな内圧を受けた時、漏れ防止パッキン３のゆとりが膨張し、必要な圧迫接合張力が加えられる。
【符号の説明】
【００１４】
１    被接続パイプ
１１  ロール溝
１２  面取り状
２    Ｃ型スナップリング
２１  裂け目
３    漏れ防止パッキン
３１  当接縁辺            
３２  ゆとり溝通路
４    パイプジョイント
４０  透孔溝
４１  収斂圧迫接合壁
４１−１  縁止口径
４２  パッキン溝
５    パイプ取り外し器具
５１  パイプ取り外し凸部
Ｂ    圧縮ゆとり
【図１】
0003165136.tif 000003
【図２】
0003165136.tif 000004
【図３】
0003165136.tif 000005
【図４】
0003165136.tif 000006
【図５】
0003165136.tif 000007
【図６】
0003165136.tif 000008
【図７】
0003165136.tif 000009